(57)【要約】【課題】本発明は、積層体を１次側枠板と伝熱体と２次側枠板に分離して構成して、構造体としての強度を確保して熱交換性能とシール性を向上する。【解決手段】本発明の積層熱交換器は、両面に凸状外周シール材１０を有する１次側枠板６と、両面に平板状外周シール材１２を有する２次側枠板１１と、１次側枠板６と２次側枠板１１とで挟みこんだ伝熱体１５と、１次側枠板６と２次側枠板１１と伝熱体１５とを１次側枠板が両端にくるように順に積層した積層ブロック１４を締結材１８で締結して加圧保持する前端板１６と後端板１７とを設けたものである。【選択図】  図１
2004278986.tif 000002
【特許請求の範囲】
【請求項１】
枠板開口部と前記枠板開口部に連通する分流路を有し１次側流体が通る２個の流路穴と前記枠板開口部と独立して２次側流体が通る２個の流路穴とを有し両面に凸状外周シール材を有する１次側枠板と、枠板開口部と前記枠板開口部に連通する分流路を有し２次側流体が通る２個の流路穴と前記枠板開口部と独立して１次側流体が通る２個の流路穴とを有し両面に平板状外周シール材を有する２次側枠板と、前記１次側枠板と前記２次側枠板で挟みこんだ４個の流路穴を有する伝熱体と、前記１次側枠板と前記２次側枠板と前記伝熱体とを前記１次側枠板が両端にくるように順に積層した積層ブロックを締結材で締結して加圧保持する前端板と後端板とを設けた積層熱交換器。
【請求項２】
流路穴に嵌め込んで１次側枠板および２次側枠板を挟み込んで前記流路穴の周囲をシールするリング状シール材を１次側枠板の２次側流体が通る２個の流路穴と、２次側枠板の１次側流体が通る２個の流路穴に設けた請求項１に記載の積層熱交換器。
【請求項３】
フィルム状薄膜を伝熱体として設けた請求項１又は２に記載の積層熱交換器。
【請求項４】
伝熱体に密着して保持板を設けた請求項１〜３のいずれか１項に記載の積層熱交換器。
【請求項５】
フィルム状薄膜の両面に開口部を有する熱伝導性保持板を密着して構成する伝熱体を有する請求項１〜４のいずれか１項に記載の積層熱交換器。
【請求項６】
保持板と保持板との間に変形防止スペーサを設けた請求項１〜５のいずれか１項に記載の積層熱交換器。
【請求項７】
凸状突起を有する保持板を設けた請求項４に記載の積層熱交換器。
【請求項８】
１次側枠板と２次側枠板の少なくとも一方に一体に成形した伝熱体保持部と変形防止部を設けた請求項１〜３のいずれか１項に記載の積層熱交換器。
【請求項９】
１次側枠板と２次側枠板の流路穴の周囲に設けた段押し加工部に流路穴から分流路を形成する円盤状板材を設けた請求項１〜８のいずれか１項に記載の積層熱交換器。
【請求項１０】
外周シール材の外側に設けた段落とし部と、前記段落とし部に伝熱体を接着保持する接着剤を設けた１次側枠板または２次側枠板を有する請求項１〜９のいずれか１項に記載の積層熱交換器。
【請求項１１】
枠板を貫通して両面にシール面を形成するゴムおよびエラストマのシール材を設けた１次側枠板および２次側枠板を有する請求項１〜１０のいずれか１項に記載の積層熱交換器。
【請求項１２】
樹脂製枠板の成形加工時に伝熱体を枠板に密着接合した１次側枠板および２次側枠板を有する請求項１〜１０のいずれか１項に記載の積層熱交換器。
【発明の詳細な説明】
【０００１】
【発明の属する技術分野】
本発明は、住宅の換気空調用として用いられる全熱交換器および燃料電池などの加湿装置に用いられる積層熱交換器に関するものである。
【０００２】
【従来の技術】
従来、この種の積層熱交換器としては、例えば、図１３に示すものがある。図１３は、従来の積層熱交換器の構成図であり、１はステンレス等の金属性の積層板で、積層板２を重ねて１次側流体流路３を構成し、積層板２の上に積層板４を重ねて２次側流体流路５を構成し、順次積層板を重ねて１次側流体流路と２次側流体流路を交互に形成し、積層板外周をロー付けしてシールして積層熱交換器を構成している（例えば、特許文献１参照）。
【０００３】
【特許文献１】
特開２０００−３５６４９０号公報
【０００４】
【発明が解決しようとする課題】
しかしながら、前記従来の構成では、ステンレス等の金属板をプレス加工して伝熱体を作成し、伝熱体そのものを積層板として積層してロー付けして流体流路を形成して用いていたため、伝熱体を構造体として用いることにより、伝熱体の厚みが厚くなり、熱抵抗が大きくなって熱交換性能が低くなり、積層枚数も多くなって装置が大きくなるという課題を有していた。さらに積層板の接合のためには真空炉などの高価なロー付け設備が必要であり製品コストも過大になる等の課題を有していた。
【０００５】
本発明は、前記従来の課題を解決するもので、構造体として強度を有する枠板と厚みが薄く熱抵抗の小さい伝熱板に分離して構成することにより小型高性能でシール性に優れた安価な積層熱交換器を提供することを目的とする。
【０００６】
【課題を解決するための手段】
前記従来の課題を解決するために、本発明の積層熱交換器は、１次側流体の流路を形成し両面に凸状外周シール材を有する１次側枠板と伝熱体と２次側流体の流路を形成し両面に平板状外周シール材を有する２次側枠板とを順に積層したものである。
【０００７】
これによって、枠板で構造強度を保証することができ、一方で伝熱体を薄くすることにより熱抵抗を小さくすることができる。また、薄い伝熱体を凸状外周シール材と平板状外周シール材ではさむことにより信頼性の高いシールが実現できる。
【０００８】
【発明の実施の形態】
請求項１に記載した発明は、枠板開口部と枠板開口部に連通する分流路を有し１次側流体が通る２個の流路穴と枠板開口部と独立して２次側流体が通る２個の流路穴とを有し両面に凸状外周シール材を有する１次側枠板と、枠板開口部と枠板開口部に連通する分流路を有し２次側流体が通る２個の流路穴と枠板開口部と独立して１次側流体が通る２個の流路穴とを有し両面に平板状外周シール材を有する２次側枠板と、１次側枠板と２次側枠板で挟みこんだ伝熱体と、１次側枠板と２次側枠板と伝熱体とを１次側枠板が両端にくるように順に積層した積層ブロックを締結材で締結して加圧保持する前端板と後端板とを設けた積層熱交換器の構成とすることにより、枠板で強固な構造を実現するとともに伝熱板を薄くして熱抵抗を小さくすることにより熱交換性能を著しく向上することができる。
【０００９】
請求項２に記載の発明は、特に、請求項１に記載の積層熱交換器を枠板に設けた流路穴に嵌め込んで枠板を挟み込んで流路穴の周囲をシールするリング状シール材を１次側枠板の２個の２次側流路穴と２次側枠板の２個の２次側流路穴に設けた構成とすることにより、１次側流体および２次側流体の通るマニホールドを形成することができ、さらに、ロー付けなどの高価な製法を用いることなくまた成分の溶出が懸念される接着剤を用いることなしに簡単な構成で安価に信頼性の高いシールを実現することができる。
【００１０】
請求項３に記載の発明は、特に、請求項１又は２に記載の積層熱交換器をフィルム状薄膜を伝熱体として設けた構成とすることにより、熱抵抗が小さくなり性能を向上することができ、小型化することができる。さらに、透湿性のフィルムを用いることにより全熱交換器として機能することができ、また伝熱体の加工も容易になり組立性も向上することができる。
【００１１】
請求項４に記載の発明は、特に、請求項１〜３に記載の積層熱交換器をフィルム状の伝熱体に密着して低圧側に保持板を設けた構成とすることにより、１次側流体と２次側流体の圧力が異なる場合でも伝熱体の形状を保持することができるので流路の断面形状を一定に保つことができ、安定した高性能運転を実現することができる。
【００１２】
請求項５に記載の発明は、特に、請求項１〜４に記載の積層熱交換器をフィルム状の薄膜の両面に開口部を有する熱伝導性保持板を密着して伝熱体を構成とすることにより、熱抵抗の少ない伝熱体が実現できるとともに、１次側流体と２次側流体の圧力が運転途中で入れ替わる場合でも、伝熱体の形状を保持することができるので流路の断面形状を一定に保つことができ、複雑な運転を行う装置に対しても柔軟な対応ができる。
【００１３】
請求項６に記載の発明は、特に、請求項１〜５に記載の積層熱交換器を保持板と保持板との間に変形防止スペーサを設けた構成としてもので、１次側および２次側流体流路の任意の位置に変形防止スペーサを設けることより、流路内の圧力が急激に変動した場合でも伝熱体が変形して破損することを防止することができる。
【００１４】
請求項７に記載の発明は、特に、請求項４に記載の積層熱交換器を凸状突起を有する保持板を設けた構成としたもので、保持板を成形加工することにより部品を増やすことなく伝熱体の変形を防止することができる。
【００１５】
請求項８に記載の発明は、特に、請求項１〜３に記載の積層熱交換器を１次側枠板と２次側枠板の少なくとも一方に一体に成形した伝熱体保持部と変形防止部を設けたもので、伝熱体保持部と変形防止部を枠板の一部として枠板と同時に成形することにより部品点数を大幅に減らして、組立性と信頼性を著しく向上することができる。
【００１６】
請求項９に記載の発明は、特に、請求項１〜８に記載の積層熱交換器を１次側枠板の１次側流路穴と２次側枠板の２次側流路穴とに流路穴から分流路を形成する円盤状の上蓋を設けた構成としたもので、成形が困難な分流路を別部品の円盤状の上蓋で形成することにより、安価に確実に形成することができる。
【００１７】
請求項１０に記載の発明は、特に、請求項１〜９に記載の積層熱交換器を外周シール材の外側に伝熱体を接着する接着剤を保持する段落とし部を設けた１次側枠板と２次側枠板を有する構成とすることにより、接着剤を流体に接触させることなく枠板と伝熱体を接着させることになり、接着剤の成分が流体に溶出するの防止することができる。さらにフィルム状の伝熱体を容易に枠板に固定することができる。
【００１８】
請求項１１に記載の発明は、特に、請求項１〜１０に記載の積層熱交換器を枠板を貫通して両面にシール面を形成するゴムおよびエラストマのシール材を設けた１次側枠板および２次側枠板を有する構成とすることにより、枠板にシール材を装着するための作業を省略することとなり、装着時の不具合によるシール漏れを防止することができるとともに組立性を大幅に向上することができる。
【００１９】
請求項１２に記載の発明は、特に、請求項１〜１０に記載の積層熱交換器を
樹脂製枠板の成形加工時に伝熱体を枠板に密着接合した１次側枠板および２次側枠板を有する構成とすることにより、シールを確実に実現するとともにシール材を省略することとなり、シールの信頼性と組立性を著しく向上することができる。
【００２０】
【実施例】
以下、本発明の実施例について、図面を参照しながら説明する。
【００２１】
（実施例１）
図１（ａ）は、本実施例の第１の実施例における積層熱交換器の構成図、図１（ｂ）は、その分解図を示すものである。
【００２２】
図１において、６は１次側枠板で、１次側流体流路３を形成する枠板開口部７と、１次側流体が通り分流路８ａを有する２個の流路穴９ａと、２次側流体が通る２個の流路穴９ｂと、両面に凸状外周シール材１０とを有する。１１は２次側枠板で、２次側流路５を形成する枠板開口部と、２次側流体が通り分流路８ｂを有する２個の流路穴９ａと、１次側流体が通る２個の流路穴９ｂと、両面に平板状外周シール材１２を有する。１３は、分流路８のない流路穴９ｂの周囲に設けたＯリングである。１４は、１次側枠板６と伝熱体１５と２次側枠板１１とを１次側枠板６が両端にくるように順に複数枚積層した積層ブロックで、両端に前端板１６と後端板１７とを設けて締結材１８で締結して加圧保持している。
【００２３】
以上のように構成された積層熱交換器について、以下その動作、作用を説明する。
【００２４】
まず、１次側流体は、１次側枠板６の流路穴９ａから分流路８ａを通って１次側流路３を流れる。一方、隣接する２次側枠板１１の２次側流体は流路穴９ｂから分流路８ｂを通って２次側流路５を流れる。１次側流体と２次側流体とは伝熱体１５を介して接しているので、両流体間で熱を移動することができる。また１次側流路３と２次側流路５の高さは、１次側枠板６と２次側枠板１１の厚みを設定することにより伝熱板１５の厚みに関係なく任意に設定することができる。
【００２５】
以上のように、本実施例においては伝熱板１５を１次側枠板６と２次側枠板１１と分離した構成とすることにより、１次側枠板６と２次側枠板１１で強固な構成をつくり伝熱板１５の厚みを薄くすることによって、高圧の流体を大量に流すことができ大量の熱を移動することができる。さらに伝熱板１５は外周においては１次側枠板６の凸状外周シール材１０と２次側枠板１１の平板状外周シール材１２によって挟まれた構成となっているため伝熱板１５が多少変形しても確実にシールすることができる。
【００２６】
（実施例２）
図２（ａ）は、本発明の第２の実施例の積層熱交換器の１次側枠板の構成図、図２（ｂ）は、２次側枠板の構成図である。
【００２７】
図２において、１９はリング状シール材で、実施例１の構成と異なるところは、リング状シール材１９を流路穴９ｂの周囲に設けた段差２０に嵌め込んで１次側枠板６および２次側枠板１１を挟み込んで設けた点である。
【００２８】
以上のように構成された積層熱交換器について、以下その動作、作用を説明する。
【００２９】
まず、ゴムなどの弾性体で作られたリング状シール材１９は１次側枠板６と２次側枠板１１の段差２０に嵌め込んで流路穴９ｂに設ける。
【００３０】
以上のように、本実施例においては１個の部品で流路穴９ｂの両面を確実にシールすることができるので、作業性に優れ信頼性の高いシールを実現することができる。
【００３１】
（実施例３）
図３は、本発明の第３の実施例の積層熱交換器の構成図である。
【００３２】
図３において、２０はフィルム状薄膜で、実施例１の構成と異なるところは伝熱板１５としてフィルム状薄膜２０を設けた点である。
【００３３】
以上のように構成された積層熱交換器について、以下その動作、作用を説明する。
【００３４】
まず、１次側枠板６の１次側流体流路３を流れる１次側流体と２次側枠板１１の２次側流体流路５を流れる２次側流体とはフィルム状薄膜２０によって分離されている。
【００３５】
以上のように、本実施例においては１次側流体と２次側流体とをフィルム状薄膜２０によって分離することにより、１次側流体から２次側流体に熱を伝える時に伝熱体の厚さを極めて薄くする事ができるので熱抵抗が小さくなり大量の熱を移動する事ができる。
【００３６】
また、本実施例では、フィルム状薄膜２０の両側を凸状外周シール材１０と平板状外周シール材１２によって挟む構成としたことにより、しわ等が生じ易いフィルム状薄膜２０を伝熱体として用いても確実にシールすることができる。
【００３７】
また、本実施例のフィルム状薄膜２０に多孔質または電解質などの透湿性の膜を用いることにより、小型高性能で流体漏れの少ない組み立て性に優れた安価な全熱交換器または加湿器を実現することができる。
【００３８】
（実施例４）
図４（ａ）は、本発明の第４の実施例の積層熱交換器の構成図、図４（ｂ）は、その構成部品であるフィルム状薄膜、図４（ｃ）は、保持板の構成図である。
【００３９】
図４において、２１は中央部に複数の開口部２２と流体が通過する４個の流路穴９を有する保持板で、実施例３の構成と異なるところは、フィルム状薄膜２０に密着して保持板２１を設けた点である。
【００４０】
以上のように構成された積層熱交換器について、以下その動作、作用を説明する。
【００４１】
まず、１次側流路３を流れる１次側流体が２次側流路５流れる２次側流体より圧力が高い場合、フィルム状薄膜２０は１次側枠板６内の１次側流体に押されて２次側流体が流れる２次側枠板１１の２次側流路５を閉塞する方向に変形するが、この時、保持板２１がフィルム状薄膜２０に密着して設けられているため変形を防止することができる。一方、保持板２１には、複数の開口部２２が設けられているのでフィルム状薄膜２０を通して１次側流体から２次側流体に熱を移動する事ができる。
【００４２】
以上のように、本実施例においてはフィルム状薄膜２０に密着して保持板２１を設けることにより、１次側流体と２次側流体の圧力が異なる場合においても流体の流路を閉塞することなく安定した運転を維持することができる。
【００４３】
（実施例５）
図５（ａ）は、本発明の第５の実施例の積層熱交換器の構成図、図５（ｂ）は、その構成部品であるフィルム状薄膜、図５（ｃ）は、熱伝導性保持板の構成図である。
【００４４】
図５において、１５は伝熱体で、実施例４の構成と異なるところは、開口部２２を有する銅またはアルミ、ステンレス等の金属製薄板からなる２枚の熱伝導性保持板ｂ２１の間に熱伝導性保持板ｂ２１の１００分の１以下の厚みのフィルム状の薄膜２０をロールプレスなどで密着接合して設けた点である。
【００４５】
以上のように構成された積層熱交換器について、以下その動作、作用を説明する。
【００４６】
まず、１次側流路３を流れる１次側流体が２次側流路５を流れる２次側流体より著しく圧力が高い場合、伝熱体１５は１次側流体に押されて２次側流体が流れる２次側流路５を閉塞する方向に変形するが、この時、伝熱体１５はフィルム状薄膜２０の両面に熱伝導性保持板ｂ２１を設けた構成としたため、伝熱体１５の変形を微少に留める事ができる。一方、運転状態が変化して１次側流体と２次側流体の圧力が逆転して２次側流体の圧力が高くなった場合、伝熱体１５は２次側流体に押されて１次側流体が流れる１次側流路３を閉塞する方向に変形するが、この時も、フィルム状薄膜２０の両面に熱伝導性保持板ｂ２１を設けているため、伝熱体１５の変形を微少に留める事ができる。
【００４７】
以上のように、本実施例においてはフィルム状薄膜２０の両面に熱伝導性保持板ｂ２１を設けることにより、１次側流体と２次側流体の圧力差が著しくことなる場合また運転途中で圧力差が逆転する場合でも流路を閉塞することなく安定して運転することができる。
【００４８】
また、保持板として開口部２２を有する熱伝導性保持板ｂ２１を用いているため、開口部２２のフィルム状薄膜２０だけでなく熱伝導性保持板ｂ２１を介しても熱を移動することができるので、１次流体から２次流体へ大量の熱を移動することができる。
【００４９】
（実施例６）
図６（ａ）は、本発明の第６の実施例の積層熱交換器の構成図、図６（ｂ）は、その構成部品であるフィルム状薄膜、図６（ｃ）は、保持板の構成図である。
【００５０】
図６において、２３は２次側流路５内に設けた複数の変形防止スペーサで、実施例４の構成と異なるところは、２次側流路５の両側に設けた保持板２１に開口部２２を避けて密着して変形防止スペーサ２３を設けた点である。
【００５１】
以上のように構成された積層熱交換器について、以下その動作、作用を説明する。
【００５２】
まず、１次側流路３を流れる１次側流体が２次側流路５を流れる２次側流体より著しく圧力が高い場合、保持板２１は１次側流体に押されて２次側流体が流れる２次側流路５を閉塞する方向に変形するが、この時、保持板２１の間に変形防止スペーサ２３を設けているため保持板２１が変形して２次側流路５を閉塞することを防止する事ができる。
【００５３】
以上のように、本実施例においては２次側流路５内に変形防止スペーサ２３を設けることにより、１次側流体と２次側流体の圧力差が著しくことなる場合でも流路を閉塞することなく安定して運転することができる。
【００５４】
（実施例７）
図７（ａ）は、本発明の第７の実施例の積層熱交換器の構成図、図７（ｂ）は、その構成部品である保持板の構成図である。
【００５５】
図７において、２４は凸状突起で、実施例１から５の構成と異なるところは保持板２１に複数の凸状突起２４を設けた点である。
【００５６】
以上のように構成された積層熱交換器について、以下その動作、作用を説明する。
【００５７】
まず、１次側流路３を流れる１次側流体が２次側流路５を流れる２次側流体より著しく圧力が高い場合、保持板２１は１次側流体に押されて２次側流体が流れる２次側流路５を閉塞する方向に変形するが、この時、保持板２１の凸状突起２４が対向する保持板２１に接することにより、フィルム状薄膜２０と保持板２１が著しく変形するのを防止することができる。
【００５８】
以上のように、本実施例においては保持板２１に複数の凸状突起２４を設けることにより、保持板２１の変形を防止することとなり、１次側流体と２次側流体の圧力差が著しく大きい場合でも、部品を追加することなく２次側流路５の閉塞を防止して安定した運転を維持することができる。
【００５９】
（実施例８）
図８（ａ）は、本発明の第８の実施例の積層熱交換器の構成図、図８（ｂ）は、その構成部品である２次側枠板の構成図である。
【００６０】
図８において、２５は伝熱体保持部、２６は変形防止部で、実施例１から７の構成と異なるところは１次側枠板６と２次側枠板１１の少なくとも１方の片面または両面に伝熱体保持部２５と変形防止部２６を一体に設けた点である。
【００６１】
以上のように構成された積層熱交換器について、以下その動作、作用を説明する。
【００６２】
まず、２次側枠板１１の両面に格子状の開口部２２を有する伝熱体保持部２５を設け、伝熱体保持部２５間に変形防止部２６が一体に成形されて２次側流路５を構成する。
【００６３】
以上のように、本実施例においては伝熱体保持部２５と変形防止部２６とを２次側枠板１１の一部として成型加工時に同時に成形することにより部品点数を大幅に削減することができる。
【００６４】
（実施例９）
図９は、本発明の第９の実施例の積層熱交換器の構成部品である１次側枠板の構成図である。
【００６５】
図９において、２７は円盤状の上蓋で、実施例１から８の構成と異なるところは１次側枠板６および２次側枠板１１の流路穴９ａの周囲に円形状段押し部２８を設けて、円形状段落とし部２８に円盤状の上蓋２７を設けた点である。
【００６６】
以上のように構成された積層熱交換器について、以下その動作、作用を説明する。
【００６７】
まず、下部は１次側枠板６および２次側枠板１１の一部として成形加工して、上部は流路穴９ａの周囲に設けた円形状段押し部２８にはめ込んだ円盤状の上蓋２７で分流路８を構成する。
【００６８】
以上のように、本実施例においては分流路８の上部を円盤状の上蓋２７で構成することにより、樹脂成形時に成形困難な横穴構造を、簡易な部品の組み合わせで実現することができる。
【００６９】
分流路８の上下両面を上蓋２７で構成しても同様の効果を得ることができる。
【００７０】
（実施例１０）
図１０は、本発明の第１０の実施例の積層熱交換器の構成部品である２次側枠板の構成図である。
【００７１】
図１０において、２９は接着用段落とし部で、実施例１から９の構成と異なるところは２次側枠板１１の平板状外周シール材１２の外側の一部に段落とし部２９を設けた点である。
【００７２】
以上のように構成された積層熱交換器について、以下その動作、作用を説明する。
【００７３】
まず、２次側枠板１１の端部の両面に設けた接着用段落とし部２９に両面接着テープなどの接着材３０を固定し伝熱体１５を接着固定して、１次側枠板６と２次側枠板１１を順に積層して熱交換器を構成する。
【００７４】
以上のように、本実施例においては２次側枠板１１の端部の両面に設けた接着用段落とし部２９に接着材３０を設けて２次側枠板１１に伝熱体１５を強固に固定することにより、１次側枠板６と２次側枠板１１を積層する時に伝熱体１５が所定の位置からずれて生じるシール不良を防止することができる。さらに、接着用段落とし部２９を設けたことにより接着部の厚みを２次側枠板１１の厚み以下に設定することができるので、凸状外周シール材１０と平板状外周シール材１２の圧縮率を低下させることなく枠板を積層する事ができるので、確実で信頼性の高いシールを実現することができる。さらに接着材３０は平板状外周シール材１２の外側に設けられているため２次側流体と接触することが無く接着材３０の成分が流体に溶出して燃料電池等の他の構成機器に悪影響をおよぼすことを防止することができる。
【００７５】
（実施例１１）
図１１は、本発明の第１１の実施例の積層熱交換器の構成部品である１次側枠板の構成図である。
【００７６】
図１１において、３１は貫通型凸状外周シール材で、実施例１から１０の構成と異なるところは１次側枠板６に貫通穴３２をあけて１次側枠板６の一部を貫通して成形して設けた点である。
【００７７】
以上のように構成された積層熱交換器について、以下その動作、作用を説明する。
【００７８】
まず、１次側枠板６に貫通穴３２をあけてゴムまたはエラストマーの貫通型凸状外周シール材３１を成形することにより、貫通型凸状外周シール材３１は１次側枠板６に強固に固定される。
【００７９】
以上のように、本実施例においては貫通型凸状外周シール材３１を１次側枠板６を貫通して強固に固定することにより積層組み立てする時にシール材が所定の位置からずれて生じるシール不良を防止することができるとともに組立性を著しく向上することができる。
【００８０】
（実施例１２）
図１２は、本発明の第１２の実施例の積層熱交換器の構成図である。
【００８１】
図１２において、３３は密着性伝熱体で、実施例１から１１の構成と異なるところは樹脂性の１次側枠板６および２次側枠板１１に樹脂成形時に直接密着して設けた点である。
【００８２】
以上のように構成された積層熱交換器について、以下その動作、作用を説明する。
【００８３】
まず、１次側枠板６および２次側枠板１１を樹脂成形する時に伝熱体３３を金型内に装着して成形することにより１次側枠板６および２次側枠板１１の表面に伝熱体３３が強固に密着した状態が得られる。
【００８４】
以上のように、本実施例においては枠板の樹脂成形時に伝熱体３３を１次側枠板６および２次側枠板１１に強固に密着固定することにより、シール性を大幅に向上することができる。
【００８５】
また、凸状外周シール材１０を省略することができるので、組み立て性を著しく改善することができる。
【００８６】
【発明の効果】
以上のように、本発明によれば、小型高性能で作動流体の漏れが無く信頼性の高い小型高性能な積層熱交換器を実現することができる。
【図面の簡単な説明】
【図１】（ａ）本発明の実施例１における積層熱交換器の構成図
（ｂ）本発明の実施例１における積層熱交換器の分解図
【図２】（ａ）本発明の実施例２における積層熱交換器の１次側枠板の構成図
（ｂ）本発明の実施例２における積層熱交換器の２次側枠板の構成図
【図３】本発明の実施例３における積層熱交換器の構成図
【図４】（ａ）本発明の実施例４における積層熱交換器の構成図
（ｂ）本発明の実施例４における積層熱交換器のフィルム状薄膜の構成図
（ｃ）本発明の実施例４における積層熱交換器の保持板の構成図
【図５】（ａ）本発明の実施例５における積層熱交換器の構成図
（ｂ）本発明の実施例５における積層熱交換器のフィルム状薄膜の構成図
（ｃ）本発明の実施例５における積層熱交換器の熱伝導性保持板の構成図
【図６】（ａ）本発明の実施例６における積層熱交換器の構成図
（ｂ）本発明の実施例６における積層熱交換器のフィルム状薄膜の構成図
（ｃ）本発明の実施例６における積層熱交換器の保持板の構成図
【図７】（ａ）本発明の実施例７における積層熱交換器の構成図
（ｂ）本発明の実施例７における積層熱交換器の保持板の構成図
【図８】（ａ）本発明の実施例８における積層熱交換器の構成図
（ｂ）本発明の実施例８における積層熱交換器の２次側枠板の構成図
【図９】本発明の実施例９における積層熱交換器の１次側枠板の構成図
【図１０】本発明の実施例１０における積層熱交換器の１次側枠板の構成図
【図１１】本発明の実施例１１における積層熱交換器の１次側枠板の構成図
【図１２】本発明の実施例１２における積層熱交換器の構成図
【図１３】従来の積層熱交換器の構成図
【符号の説明】
６  １次側枠板
７  枠板開口部
８ａ  分流路（１次側枠板）
８ｂ  分流路（２次側枠板）
９ａ  流路穴（１次側枠板）
９ｂ  流路穴（２次側枠板）
１０  凸状外周シール材
１１  ２次側枠板
１２  平板状外周シール材
１４  積層ブロック
１５  伝熱体
１６  前端板
１７  後端板
１８  締結材
１９  リング状シール材
２０  フィルム状薄膜
２１  保持板
２１ｂ  熱伝導性保持板
２３  変形防止スペーサ
２４  凸状突起
２５  伝熱体保持部
２６  変形防止部
２７  上蓋（円盤状板材）
２８  段押し部（段押し加工部）
２９  接着用段落とし部（段落とし部）
３０  接着材
３１  貫通型凸状外周シール材（シール材）
３３  密着性伝熱体（伝熱体）
【図１】
2004278986.tif 000003
【図２】
2004278986.tif 000004
【図３】
2004278986.tif 000005
【図４】
2004278986.tif 000006
【図５】
2004278986.tif 000007
【図６】
2004278986.tif 000008
【図７】
2004278986.tif 000009
【図８】
2004278986.tif 000010
【図９】
2004278986.tif 000011
【図１０】
2004278986.tif 000012
【図１１】
2004278986.tif 000013
【図１２】
2004278986.tif 000014
【図１３】
2004278986.tif 000015